(57)【要約】  【課題】  布地に刺繍した刺繍模様に重複させて印刷図柄を印刷する場合に、刺繍模様と印刷図柄の位置ズレを極力少なくするようにし、しかも刺繍と印刷とを融合できるようにすること。  【解決手段】  予め選択された刺繍データを読込み（Ｓ11）、その読み込んだ刺繍データに基づいて刺繍模様に含まれる複数の刺繍領域を包絡する包絡エリアを求め（Ｓ13）、その包絡エリアの中心位置を求める（Ｓ14）。一方、各刺繍領域毎に、矩形エリアを求め（Ｓ15）、各刺繍領域の中心位置を求め（Ｓ16）、包絡エリアの中心から各刺繍領域の中心までの中心間距離を求め（Ｓ17）、複数の刺繍領域に相互に重複する重複領域が無い場合には（Ｓ19：No）、包絡エリアの中心位置に近い刺繍領域ほど、つまり中心間距離が短いほど、先に刺繍するように刺繍処理する刺繍領域の縫い順が決定される（Ｓ21）。【選択図】  図４
2006198309.tif 000002
【特許請求の範囲】
【請求項１】
刺繍可能なミシンにより布地に刺繍模様を刺繍する為の刺繍データと、前記布地にプリンタで印刷する為の印刷データとを処理する複合データ処理装置であって、
複数の刺繍領域を含んで構成される刺繍模様を縫製するための前記刺繍データに基づいて、夫々の刺繍領域を求める刺繍領域画定手段と、
前記刺繍領域画定手段で求めた複数の刺繍領域を所定の形状で包絡する包絡エリアを演算する包絡エリア演算手段と、
前記包絡エリア演算手段で求めた包絡エリアの中心位置を演算する中心演算手段と、
前記中心位置に近い刺繍領域ほど先に刺繍するように前記複数の刺繍領域に関する縫い順を決定する縫い順決定手段と、
を備えたことを特徴とする複合データ処理装置。
【請求項２】
前記縫い順決定手段は、複数の刺繍領域の中心位置を夫々演算し、複数の刺繍領域の中心位置と包絡エリアの中心位置とに基づいて縫い順を決定することを特徴とする請求項１に記載の複合データ処理装置。
【請求項３】
前記包絡エリア演算手段は、前記複数の刺繍領域を矩形の形状で包絡する包絡エリアを演算することを特徴とする請求項１又は２に記載の複合データ処理装置。
【請求項４】
前記縫い順決定手段は、少なくとも部分的に重複する複数の刺繍領域については、刺繍データの配列順から定まる予め設定された縫い順となるように縫い順を決定することを特徴とする請求項１〜３の何れかに記載の複合データ処理装置。
【請求項５】
刺繍可能なミシンにより布地に刺繍模様を刺繍する為の刺繍データと、前記布地にプリンタで印刷する為の印刷データとを処理する複合データ処理装置であって、
複数の刺繍領域を含んで構成される刺繍模様を縫製するための前記刺繍データに基づいて、夫々の刺繍領域を求める刺繍領域画定手段と、
前記刺繍領域画定手段で求めた複数の刺繍領域の全部又は一部と前記印刷データで印刷される印刷領域とが少なくとも部分的に重複するか否か検出する重複検出手段と、
前記重複検出手段の検出結果を受け、少なくとも部分的に重複する刺繍領域と印刷領域については、その重複領域に対する刺繍処理と印刷処理とが連続的に実行されるように、刺繍領域及び印刷領域に対応する刺繍データと印刷データの配列順序を介して、処理順序を設定する処理順序設定手段と、
を備えたことを特徴とする複合データ処理装置。
【請求項６】
前記処理順序設定手段は、オペレータの指定に基づいて刺繍処理と印刷処理の処理順序を設定可能に構成されたことを特徴とする請求項５に記載の複合データ処理装置。
【請求項７】
刺繍可能なミシンにより布地に刺繍模様を刺繍する為の刺繍データを処理する刺繍データ処理装置であって、
複数の刺繍領域を含んで構成される刺繍模様を縫製するための前記刺繍データに基づいて、夫々の刺繍領域を求める刺繍領域画定手段と、
前記刺繍領域画定手段で求めた複数の刺繍領域を所定の形状で包絡する包絡エリアを演算する包絡エリア演算手段と、
前記包絡エリア演算手段で求めた包絡エリアの中心位置を演算する中心演算手段と、
前記中心位置に近い刺繍領域ほど先に刺繍するように前記複数の刺繍領域に関する縫い順を決定する縫い順決定手段と、
を備えたことを特徴とする刺繍データ処理装置。
【発明の詳細な説明】
【技術分野】
【０００１】
本発明は、布地に刺繍模様を刺繍するとともに、その刺繍模様に重複させて印刷図柄を印刷する場合に、刺繍により発生する布地の収縮や縫いずれに対処するように、刺繍模様の縫い順を変更したり、刺繍と印刷とを連続的に処理するようにしたものに関する。
【背景技術】
【０００２】
従来、多数の針落ち点データ（所謂、ステッチデータ）からなる刺繍データを用いて、布地に刺繍ミシンにより刺繍するだけでなく、最近では、刺繍データからビットマップデータである印刷データに展開し、刺繍模様をプリンタで印刷できるようになっている。
【０００３】
例えば、特許文献１に記載の布帛（生地）処理方法は、画像データから作成された刺繍データに基づいて、刺繍領域の輪郭線を抽出し、更に、その輪郭線で規定される刺繍領域全体に亙ってビットマップデータに展開することにより、刺繍データから刺繍領域の少なくとも一部に印刷する印刷データを作成し、刺繍データに基づいて、刺繍ミシンにより布地に刺繍を行う一方、刺繍した上糸に重ねて、印刷データに基づいてインクジェットプリンタにより印刷するようにし、刺繍領域の全面で光沢を発揮でき、刺繍の風合いを表現するようにした刺繍処理と印刷処理の複合処理技術が開示されている。
【０００４】
ところで、近年、布地に印刷が可能なプリンタが実用化されてきている。そこで、例えば、Ｔシャツ等の布地にプリンタを用いて印刷すると共に、刺繍ミシンにより刺繍を施すことにより、刺繍の良さと印刷の良さとを融合させて、風合いの有るＴシャツを作成したいという要望がある。
【特許文献１】特開２００４−２６３３５０号公報  （第６〜７頁、図３）
【発明の開示】
【発明が解決しようとする課題】
【０００５】
一般的に、刺繍ミシンにより刺繍模様を刺繍した布地には縫い縮みが発生し、刺繍模様が大きい程、また収縮性に優れた布地に刺繍する程、その縫い縮みが顕著になる。そこで、複数の模様を描いた画像の画像データに基づいて、印刷データと刺繍データとを作成し、その印刷データを用いてプリンタにより印刷するとともに、その刺繍データを用いて刺繍ミシンにより刺繍した場合、前述した特許文献１に記載の印刷技術においては、布地の縫い縮みに対処していないため、刺繍を施した刺繍模様に対して印刷を施した印刷図柄に位置ずれが生じる。
【０００６】
その為、刺繍模様と印刷図柄とを重複させる場合には、刺繍模様の一部が印刷図柄から食み出すことになり、刺繍模様と印刷図柄とを混在させた立体感や風合い感が損なわれること、等の問題がある。
【課題を解決するための手段】
【０００７】
請求項１に係る複合データ処理装置は、刺繍可能なミシンにより布地に刺繍模様を刺繍する為の刺繍データと、布地にプリンタで印刷する為の印刷データとを処理する複合データ処理装置であって、複数の刺繍領域を含んで構成される刺繍模様を縫製するための刺繍データに基づいて、夫々の刺繍領域を求める刺繍領域画定手段と、刺繍領域画定手段で求めた複数の刺繍領域を所定の形状で包絡する包絡エリアを演算する包絡エリア演算手段と、包絡エリア演算手段で求めた包絡エリアの中心位置を演算する中心演算手段と、中心位置に近い刺繍領域ほど先に刺繍するように複数の刺繍領域に関する縫い順を決定する縫い順決定手段とを備えたものである。
【０００８】
複数の刺繍領域を含んで構成される刺繍模様を縫製するための刺繍データに基づいて、刺繍領域画定手段により刺繍データに含まれる夫々の刺繍領域が求められると、包絡エリア演算手段により、これら複数の刺繍領域を所定の形状で包絡する包絡エリアが演算され、このように求めた包絡エリアの中心位置が中心演算手段により演算される。そして、中心位置に近い刺繍領域ほど先に刺繍するように、複数の刺繍領域に関する縫い順が決定される。
【０００９】
このように決定された縫い順に基づいて、最初に、包絡エリアの中心位置に近い刺繍領域に刺繍処理が実行された場合、その刺繍により若干ではあるが布地に縫い縮みが発生する。しかし、その縫い縮みは最初に刺繍した刺繍模様の外側に放射状に分散するようになる。そこで、次以降に刺繍する刺繍領域は、最初の刺繍模様に対して放射方向の外側に位置している場合が殆どであるため、２番目以降に刺繍する何れの刺繍領域も、最初に刺繍した刺繍縫いによる縫い縮みにだけ影響されるため、２番目以降に刺繍する刺繍領域の位置ズレは極僅かになる。
【００１０】
それ故、これら複数の刺繍領域に刺繍処理した後に、これら複数の刺繍領域に重複させて印刷データにより印刷する場合、最初の刺繍領域とその印刷領域とに位置ズレが生じるようなことがなく、しかも２番目以降の刺繍領域に刺繍された刺繍模様とその印刷領域との位置ズレが非常に少なくなる。
【００１１】
請求項２に係る複合データ処理装置は、請求項１の発明において、前記縫い順決定手段は、複数の刺繍領域の中心位置を夫々演算し、複数の刺繍領域の中心位置と包絡エリアの中心位置とに基づいて縫い順を決定するものである。
【００１２】
請求項３に係るデータ処理装置は、請求項１又は２の発明において、前記包絡エリア演算手段は、複数の刺繍領域を矩形の形状で包絡する包絡エリアを演算するものである。
【００１３】
請求項４に係る複合データ処理装置は、請求項１〜３の何れかの発明において、前記縫い順決定手段は、少なくとも部分的に重複する複数の刺繍領域については、刺繍データの配列順から定まる予め設定された縫い順となるように縫い順を決定するものである。
【００１４】
請求項５に係る複合データ処理装置は、刺繍可能なミシンにより布地に刺繍模様を刺繍する為の刺繍データと、布地にプリンタで印刷する為の印刷データとを処理する複合データ処理装置であって、複数の刺繍領域を含んで構成される刺繍模様を縫製するための刺繍データに基づいて、夫々の刺繍領域を求める刺繍領域画定手段と、刺繍領域画定手段で求めた複数の刺繍領域の全部又は一部と印刷データで印刷される印刷領域とが少なくとも部分的に重複するか否か検出する重複検出手段と、重複検出手段の検出結果を受け、少なくとも部分的に重複する刺繍領域と印刷領域については、その重複領域に対する刺繍処理と印刷処理とが連続的に実行されるように、刺繍領域及び印刷領域に対応する刺繍データと印刷データの配列順序を介して、処理順序を設定する処理順序設定手段とを備えたものである。
【００１５】
複数の刺繍領域を含んで構成される刺繍模様を縫製するための刺繍データに基づいて、刺繍領域画定手段により刺繍データに含まれる夫々の刺繍領域が求められると、重複検出手段により、これら複数の刺繍領域の全部又は一部と印刷データで印刷される印刷領域とが少なくとも部分的に重複するか否が検出され、少なくとも部分的に重複する刺繍領域と印刷領域については、その重複領域に対する刺繍処理と印刷処理とが連続的に実行されるように、刺繍領域及び印刷領域に対応する刺繍データと印刷データの配列順序を介して、処理順序が設定される。
【００１６】
即ち、少なくとも部分的に重複する刺繍領域と印刷領域について、決定された処理順序に基づいて、刺繍処理と印刷処理とがセットにして連続して実行される。その為、刺繍処理する毎に縫い縮みが発生するが、刺繍処理と印刷処理とがセットで実行されることにより、それ以前の刺繍処理により発生する縫い縮みによる位置ズレの影響をほぼ回避することができ、重複領域に対する刺繍領域と印刷領域の位置ズレがなくなる。
【００１７】
請求項６に係る複合データ処理装置は、請求項５の発明において、前記処理順序設定手段は、オペレータの指定に基づいて刺繍処理と印刷処理の処理順序を設定可能に構成されたものである。
【００１８】
請求項７に係る刺繍データ処理装置は、刺繍可能なミシンにより布地に刺繍模様を刺繍する為の刺繍データを処理する刺繍データ処理装置であって、複数の刺繍領域を含んで構成される刺繍模様を縫製するための刺繍データに基づいて、夫々の刺繍領域を求める刺繍領域画定手段と、刺繍領域画定手段で求めた複数の刺繍領域を所定の形状で包絡する包絡エリアを演算する包絡エリア演算手段と、包絡エリア演算手段で求めた包絡エリアの中心位置を演算する中心演算手段と、中心位置に近い刺繍領域ほど先に刺繍するように複数の刺繍領域に関する縫い順を決定する縫い順決定手段とを備えたものである。
【００１９】
この場合、前述した請求項１と同様に作用するので、その詳しい説明を省略する。
【発明の効果】
【００２０】
請求項１の発明によれば、刺繍可能なミシンにより布地に刺繍模様を刺繍する為の刺繍データと、布地にプリンタで印刷する為の印刷データとを処理する複合データ処理装置であって、刺繍領域画定手段と、包絡エリア演算手段と、中心演算手段と、縫い順決定手段とを備えたので、このように決定された縫い順に基づいて、包絡エリアの中心位置に近い刺繍領域に刺繍処理が実行された場合、その刺繍により若干ではあるが縫い縮みが発生するが、その縫い縮みは最初に刺繍した刺繍模様の外側に放射状に分散するようになり、２番目以降に刺繍する何れの刺繍領域の位置ズレも極僅かになる。
【００２１】
それ故、これら複数の刺繍領域に刺繍処理した後に、これら複数の刺繍領域に重複させて印刷データにより印刷する場合、最初の刺繍模様とその印刷領域とが位置ズレするようなことがなく、しかも２番目以降の刺繍領域に刺繍された刺繍模様とその印刷領域との位置ズレ度合いを格段に抑制することができる。
【００２２】
請求項２の発明によれば、前記縫い順決定手段は、複数の刺繍領域の中心位置を夫々演算し、複数の刺繍領域の中心位置と包絡エリアの中心位置とに基づいて縫い順を決定するので、包絡エリアの中心位置に近い順に決定する刺繍の縫い順を、その中心位置により精度良く且つ正確に求めることができ、後から刺繍する刺繍領域の位置ズレを最小限に抑制することができる。その他請求項１と同様の効果を奏する。
【００２３】
請求項３の発明によれば、前記包絡エリア演算手段は、複数の刺繍領域を矩形の形状で包絡する包絡エリアを演算するので、包絡エリア演算の簡単化を図ることができ、複合データ処理の迅速化が図れる。その他請求項１又は２と同様の効果を奏する。
【００２４】
請求項４の発明によれば、前記縫い順決定手段は、少なくとも部分的に重複する複数の刺繍領域については、刺繍データの配列順から定まる予め設定された縫い順となるように縫い順を決定するので、これら重複する複数の刺繍領域に刺繍される刺繍模様の上下関係について、予め設定された縫い順を維持することができ、複数の刺繍模様による風合いを何ら損なうことなく表現することができる。その他請求項１〜３の何れかと同様の効果を奏する。
【００２５】
請求項５の発明によれば、刺繍可能なミシンにより布地に刺繍模様を刺繍する為の刺繍データと、布地にプリンタで印刷する為の印刷データとを処理する複合データ処理装置であって、刺繍領域画定手段と、重複検出手段と、処理順序設定手段とを備え、少なくとも部分的に重複する刺繍領域と印刷領域について、決定された処理順序に基づいて、刺繍処理と印刷処理とがセットにして連続して実行される為、刺繍処理する毎に布地に縫い縮みが発生するが、刺繍処理と印刷処理とがその都度セットで実行されることにより、それ以前の刺繍処理により発生する縫い縮みによる位置ズレの影響をほぼ回避することができ、重複領域に対する刺繍領域と印刷領域の位置ズレを解消することができる。
【００２６】
請求項６の発明によれば、前記処理順序設定手段は、オペレータの指定に基づいて刺繍処理と印刷処理の処理順序を設定可能に構成されたので、オペレータの好みにより、或いは刺繍模様に応じて、刺繍処理と印刷処理の処理順序を設定する自由度を高めることができる。その他請求項５と同様の効果を奏する。
【００２７】
請求項７の発明によれば、刺繍可能なミシンにより布地に刺繍模様を刺繍する為の刺繍データを処理する刺繍データ処理装置であって、刺繍領域画定手段と、包絡エリア演算手段と、中心演算手段と、縫い順決定手段とを備えたので、前記請求項１と同様の効果を奏することができる。
【発明を実施するための最良の形態】
【００２８】
本実施例における複合データ処理装置は、布地に対して、刺繍ミシンにより刺繍模様を刺繍縫いするとともに、刺繍模様に重複させてプリンタにより印刷図柄を印刷する際に、複数の刺繍領域の各々に刺繍する縫い順序や印刷する印刷順序を変更することにより、刺繍縫いにより発生する布地の収縮（所謂、縫い縮み）に対処するものである。
【実施例】
【００２９】
先ず、図１に示すように、複合データ処理装置１に、インクジェットプリンタ３を備えた刺繍ミシン２が電気的に接続され、この刺繍ミシン２に接続された枠駆動装置４は、各種の形状の刺繍枠５を着脱可能に装着し、刺繍縫いに際してだけでなく、インクジェットプリンタ３による印刷に際して、その刺繍枠５を直交する２方向（Ｘ方向とＹ方向）に移動駆動できるようになっている。
【００３０】
複合データ処理装置１は、図２に示すパーソナルコンピュータからなり、制御全体を司る制御装置１０、この制御装置１０に接続されたマウス１１と、キーボード１２と、イメージスキャナ１３と、カラーのディスプレイ１４等を備えている。制御装置１０は、ＣＰＵ２１とＲＯＭ２２とＲＡＭ２３とこれらを接続するバス２４とを含むマイクロコンピュータと、バス２４に接続されハードディスク（ＨＤ）２５を備えたハードディスクドライブ（ＨＤＤ）２６と、入出力インターフェース２７等を有する。
【００３１】
また、バス２４には、フレキシブルディスクの為のフレキシブルディスクドライブ（ＦＤＤ）２８と、ＣＤ−ＲＯＭの為のＣＤ−ＲＯＭドライブ２９も接続されている。入出力インターフェース２７には、キーボード１２と、マウス１１と、イメージスキャナ１３と、ディスプレイ１４を駆動する為の表示駆動回路３０と、通信用インターフェース（通信用Ｉ／Ｆ）３１を介して刺繍ミシン２とが夫々接続されている。
【００３２】
ＲＯＭ２２には、パーソナルコンピュータの電源ＯＮ時に、パーソナルコンピュータを起動させる起動プログラム等が格納されている。ＲＡＭ２３には、イメージスキャナ１３やフレキシブルディスクやＣＤ−ＲＯＭから読み込んだ印刷図柄の為の画像データを格納する画像データメモリ、刺繍模様の為の刺繍データを格納する刺繍データメモリ、ＣＰＵ２１で演算処理した演算結果を収容する各種メモリ、バッファ、ポインタ、カウンタ等が必要に応じて設けられている。
【００３３】
一方、ハードディスク２５には、ＯＳ（オペレーティング・システム）や、マウス１１とキーボード１２とイメージスキャナ１３とディスプレイ１４等を使用可能とする為の各種のドライバ、アプリケーションプログラム等が組み込まれると共に、イメージスキャナ１３やフレキシブルディスクやＣＤ−ＲＯＭから記録されている画像データや刺繍データを読み込む読込み制御プログラム、その読み込まれた画像データや刺繍データを画像データメモリや刺繍データメモリに格納するデータ入力制御プログラム、画像データから印刷データを作成する印刷データ作成制御や画像データから刺繍データを作成する刺繍データ作成制御の制御プログラム、刺繍データから印刷データを作成する印刷データ作成制御プログラム、後述の複合データ処理制御の為の制御プログラム（図４、図１４参照）等、各種の制御プログラムも格納されている。
【００３４】
図３に示すように、刺繍ミシン２の刺繍ミシン本体２ａには、通信用インターフェース（通信用Ｉ／Ｆ）４１介して複合データ処理装置１に接続された制御ユニット４２、各種操作スイッチ４３、主軸位置検出センサ４４、ミシンモータ４５及びその駆動回路４６等が設けられている。ミシンモータ４５により主軸（図示略）が回転駆動されて針棒上下駆動機構（図示略）により針棒が上下に往復駆動され、その針棒に取付けられた縫針と、ベッド部に設けられた糸捕捉機構（図示略）とが協動して、刺繍枠５に保持された布地Ｗに刺繍縫目が形成される。
【００３５】
インクジェットプリンタ３には、制御ユニット５１、各種操作スイッチ５２、４色（シアン，マゼンタ，イエロー，ブラック）の為の４列のインクノズルをユニット化したプリントヘッド５３、ヘッド昇降モータ５４、パージ駆動モータ５５、パージ移動モータ５６、これらプリントヘッド５３及び各モータ５４〜５６の為の駆動回路５７〜６０が設けられている。プリントヘッド５３は、制御ユニット５１から印字指令を受けると、圧電セラミックアクチュエータの撓みによりインクを下側の布地Ｗに向けてインクノズルから噴射する。
【００３６】
枠駆動装置４には、キャリッジ位置検出センサ６１、枠駆動装置４に装着された刺繍枠５をＸ方向に移動させるＸ方向駆動モータ６２とその駆動回路６３、刺繍枠５をＹ方向に移動させるＹ方向駆動モータ６４とその駆動回路６５等が設けられている。枠駆動装置４は、刺繍ミシン本体２ａの制御ユニット４２やインクジェットプリンタ３の制御ユニット５１から枠移動信号を受けると、Ｘ方向駆動モータ６２とＹ方向駆動モータ６４を駆動させて刺繍枠５をＸ方向とＹ方向とに移動させる。
【００３７】
次に、複合データ処理装置１の制御装置１０で実行される複合データ処理制御のルーチンについて、図４、図１４のフローチャートに基づいて説明する。但し、図中の符号Ｓｉ（ｉ＝１１、１２、１３・・・）は各ステップである。
【００３８】
ディスプレイ１４に表示されたメインメニュー（図示略）のうちの「複合データ処理」を選択すると、例えば、図６に示すように、「複合データ処理メニュー」が表示されるので、作業者がブロックカーソルＫにより、選択項目「１」、つまり「刺繍模様に含まれる複数の刺繍領域に関する刺繍処理を、刺繍模様の中心位置(X,Y) に近い刺繍領域から連続的に実行してから、印刷処理を連続的に実行する」を選択すると、図４に示す第１複合データ処理制御が開始される。
【００３９】
この制御が開始されると、先ず、ＣＤ−ＲＯＭやハードディスクに格納された複数の刺繍データのうちから作業者により予め選択された刺繍データが読み込まれてＲＡＭ２３の刺繍データメモリに格納される（Ｓ11）。次に、その刺繍データに基づいて、サテン縫目やタタミ縫目等の縫目形式や糸色で指定される刺繍領域、つまり刺繍模様に含まれる複数の刺繍領域の外形輪郭を求める為に、刺繍データの解析処理が実行される（Ｓ12）。
【００４０】
その刺繍データの解析処理について簡単に説明すると、先ず、刺繍データに含まれる各針落ち点（合計ｎ個とする）を、縫製順にＰｉ（ｉ＝１，２，・・・，ｎ）とする。変数ｉに初期値「１」をセットし、針落ち点Ｐｉを原点として直交座標系を設定する。図５−１，図５−２に示すように、針落ち点Ｐｉから針落ち点Ｐi+1 へ至る方向にＸ軸を設け、Ｘ軸に対して針落ち点Ｐｉを中心に反時計回りに９０°回転した方向にＹ軸を設け、針落ち点Ｐi+1 の座標（Ｘi+1 ，０）と針落ち点Ｐi+2 の座標（Ｘi+2 ，Ｙi+2 ）を読み込み、ＲＡＭ２３の座標メモリに記憶する。
【００４１】
次に、Ｘi+1 とＸi+2 との値を比較し、Ｘｉ+1の方が大きい場合には、針落ち点Ｐi+1 の属性を仮輪郭に設定し、Ｘi+2 ≧Ｘi+1 の場合には、針落ち点Ｐi+1 の属性を仮走りとして設定する。ここで、図５−１に示すように、針落ち点Ｐi+1 が輪郭点である場合、その両側のステッチＳｉ，Ｓi+1 に折り返しが発生する。この場合、Ｘi+2 の値はＸi+1 の値よりも小さくなる（Ｘi+2 ＜Ｘi+1 ）。
【００４２】
そこで、この場合、針落ち点Ｐi+1 の属性を、輪郭点と推定できるという意味で仮輪郭とし、針落ち点Ｐi+1 が走り点である場合、図５−２に示すように、Ｘi+2 ≧Ｘi+1 となる。そこで、この場合、針落ち点Ｐi+1 の属性を、走り点と推定できるという意味で仮走りとする。尚、針落ち点Ｐ1 ，Ｐn には、強制的に仮走りの属性を付与する。
【００４３】
このように、変数ｉの値を順次増加させながら、これらの処理を繰り返し実行し、ｉ＋１＝ｎとなった場合、つまりｉ＋１＝２〜ｎ−１の全ての針落ち点Ｐi+1 に対して仮輪郭または仮走りの属性を付与したことになる。そこで、次のように縫目形式の分類を行う。先ず、変数ｉに１，２，３，・・・を順次セットしながら、針落ち点Ｐi+1 に仮輪郭の属性が付与されているか否かを判断する。Ｐi+1 が仮走りの場合は、変数ｉに次の大きな値をセットして再度判断する。
【００４４】
一方、針落ち点Ｐi+1 が仮輪郭の場合、その針落ち点Ｐi+1 が、仮走りの属性を付与された針落ち点と隣接しているか否か、すなわち、針落ち点Ｐｉ又はＰi+2 の何れかが仮走りであるか否かを判断する。仮走りと隣接している場合、その針落ち点Ｐi+1 に仮輪郭の属性を付与したループで記憶したＹi+2 を読み出す。
【００４５】
その針落ち点Ｐｉの前後に配設される仮輪郭の針落ち点に対して同様に記憶されたＹi+2 と異符号である場合には、針落ち点Ｐi+1 の縫目属性を仮タタミ輪郭とし、同符号である場合には、針落ち点Ｐi+1 の縫目属性を仮走りとする。
【００４６】
一方、仮輪郭の針落ち点Ｐi+1 が仮走りの針落ち点と隣接していない場合であって、Ｙi+2 の符号が前後の仮輪郭で交互に入れ替わっている場合、その針落ち点Ｐi+1 を仮サテン輪郭とし、Ｙi+2 の符号が交互に入れ替わっていない場合は、その針落ち点Ｐi+1 を仮走りとする。
【００４７】
そして、最終的に、仮タタミ輪郭の属性を付与された全ての針落ち点のデータについて、前後の針落ち点の形状や、糸密度、タタミパタン等を検出し、それに基づいて刺繍模様の外形輪郭を確定する処理を実行し、タタミ縫いを行うタタミ縫目による刺繍領域を確定する。
【００４８】
また、仮サテン輪郭の属性を付与された全ての針落ち点のデータについて、前後の針落ち点の形状，糸密度等を検出し、それに基づいて刺繍模様の外形輪郭を確定する処理を実行し、サテン縫いを行うサテン縫目による刺繍領域を確定する。
【００４９】
最後に、これら仮タタミ輪郭や仮サテン輪郭として確定されなかった残りの針落ち点のデータに対し、その針落ち点を走り点として縫目ピッチと形状に従った確定を行い、走り縫いを行う走り縫目による刺繍領域を確定する。
【００５０】
次に、刺繍データに基づいて、刺繍模様に含まれる複数の刺繍領域を矩形の形状で包絡する包絡エリアが演算処理される（Ｓ13）。この演算処理においては、縫目データのＸＹ座標系におけるＸ軸の最大値及び最小値と、Ｙ軸の最大値及び最小値とに基づいて、矩形状の包絡エリアが求められる。
【００５１】
次に、矩形状の包絡エリアの４つの角部に対応する４つの座標(X,Y) に基づいて、包絡エリアの中心位置(X,Y) が求められる（Ｓ14）。次に、各刺繍領域毎に、ＸＹ座標系におけるＸ軸の最大値及び最小値と、Ｙ軸の最大値及び最小値とに基づいて、各刺繍領域を包絡する矩形形状のエリアが演算で求められる（Ｓ15）。この演算処理は、前述したＳ13と同様に求められる。
【００５２】
次に、各刺繍領域毎に、刺繍領域の中心位置(X,Y) を演算する演算処理が実行される（Ｓ16）。この演算処理は、前述したＳ14と同様に求められる。次に、Ｓ14で求められた包絡エリアの中心位置(X,Y) と、各刺繍領域の中心位置(X,Y) とに基づいて、包絡エリアの中心に対する各刺繍領域の中心までの中心間距離が夫々求められる（Ｓ17）。
【００５３】
次に、これら複数の刺繍領域の何れかが重複しているか否かが判定され（Ｓ18）、何れかの刺繍領域が重複している場合には（Ｓ19：Yes ）、重複する複数の刺繍領域について重複情報が付加される（Ｓ20）。次に、各刺繍領域の中心間距離と、重複情報とに基づいて、刺繍領域に関する縫い順を決定する縫い順決定処理が実行され（Ｓ21）、最終的に、Ｓ12の解析処理により検出された刺繍領域毎に、ベタ状に印刷する印刷データを作成する印刷データ作成処理が実行され（Ｓ22）、この制御を終了してメインルーチンにリターンする。
【００５４】
即ち、この印刷データ作成処理により作成される印刷データは、刺繍領域に刺繍される刺繍データに含まれる糸色コードで規定される糸色と同じ色で印刷する為の色情報を有するものである。それ故、刺繍模様に含まれる複数の刺繍領域が、Ｓ21で決定された縫い順に基づいて刺繍ミシン２により順々に刺繍処理され、その後Ｓ22で作成された印刷データに基づいて、インクジェットプリンタ３により全ての刺繍領域に印刷処理される。この印刷処理については、必ずしも刺繍領域に順々に行われる必要はなく、一般的なプリンタ装置と同様に、布地Ｗの一端側から他端側に向かう印刷方向に沿って印刷されるようにすれば良い。
【００５５】
ここで、第１複合データ処理制御の、特にＳ12等から刺繍領域画定手段が構成され、第１複合データ処理制御の特にＳ13等から包絡エリア演算手段が構成され、第１複合データ処理制御の特にＳ18〜21等から縫い順決定手段が構成されている。
【００５６】
次に、前述したように、刺繍データに基づいて刺繍模様に含まれる複数の刺繍領域を刺繍するに際して、刺繍処理する縫い順を変更する第１複合データ処理制御の作用及び効果について説明する。
【００５７】
先ず、図６に示す「複合データ処理メニュー」から、作業者がブロックカーソルＫにより、選択項目「１」を選択すると、図７に示すように、予め選択された「円模様」の刺繍データがＲＡＭ２３の刺繍データメモリに格納される。この「円模様」は、図８に示すように、大小４つの第１円模様ＳＨ１〜第４円模様ＳＨ４からなり、各第１円模様ＳＨ１〜第４円模様ＳＨ４は、夫々サテン縫いの縫目で構成されている。
【００５８】
即ち、この「円模様」の刺繍データは、第１円模様ＳＨ１〜第４円模様ＳＨ４からなり、各々の縫目データは、次の縫目までの移動量（布送り量）を設定する相対座標であり、第１円模様ＳＨ１〜第４円模様ＳＨ４の各々には、その先頭部に糸色コードが設けられるとともに、その末尾部に糸切りコードが含まれている。
【００５９】
そこで、刺繍データに基づいて、前述のＳ13の処理によりこれら４つの第１円模様ＳＨ１〜第４円模様ＳＨ４の刺繍領域Ｅ１〜Ｅ４を包絡する包絡エリアＨＥが求められ、Ｓ14の処理により包絡エリアＨＥを形成する４つの角点ＫＡ〜ＫＤの座標(X,Y) から、包絡エリアＨＥの中心位置ＨＣ(X,Y) が求められる。更に、各第１円模様ＳＨ１〜第４円模様ＳＨ４の縫目データに基づいて、Ｓ15の処理により第１円模様ＳＨ１〜第４円模様ＳＨ４の刺繍領域Ｅ１〜Ｅ４を包絡する矩形エリアＨＥ１〜ＨＥ４が夫々求められる。そして、Ｓ16にてこれら矩形エリアＨＥ１〜ＨＥ４から各刺繍領域Ｅ１〜Ｅ４の中心位置ｃ１〜ｃ４(X,Y) が夫々求められ、図９に示すように、ＲＡＭ２３の中心位置テーブルに、刺繍領域Ｅ１〜Ｅ４に対応させて中心位置(X,Y) が夫々格納される。
【００６０】
次に、Ｓ17の処理により包絡エリアＨＥの中心位置ＨＣ(X,Y) から各刺繍領域Ｅ１〜Ｅ４の中心位置ｃ１〜ｃ４までの中心間距離Ｄ１〜Ｄ４が求められ、図１０に示すように、ＲＡＭ２３の中心間距離テーブルに、刺繍領域Ｅ１〜Ｅ４に対応させて、中心間距離Ｄ１〜Ｄ４が夫々格納される。この場合、Ｄ３＜Ｄ２＜Ｄ１＜Ｄ４である。
【００６１】
ところで、第１円模様ＳＨ１の刺繍領域Ｅ１と第２円模様ＳＨ２の刺繍領域Ｅ２とが部分的に重複しているため、Ｓ20にて図１１に示すように、ＲＡＭ２３の重複刺繍領域テーブルに、最初に刺繍される刺繍領域Ｅ１には「重複縫い順１」が格納され、次に刺繍される刺繍領域Ｅ２には「重複縫い順２」が格納される。
【００６２】
次に、中心間距離Ｄ１〜Ｄ４と重複縫い順とに基づいて、Ｓ21にて図１２に示すように、最終的に刺繍領域Ｅ１〜Ｅ４に対する縫い順が決定される。即ち、中心間距離Ｄ３の刺繍領域Ｅ３が包絡エリアＨＥの中心位置ＨＣに最も近いため、縫い順「１」として「刺繍領域Ｅ３」、縫い順「２」として「刺繍領域Ｅ１」、縫い順「３」として「刺繍領域Ｅ２」、縫い順「４」として「刺繍領域Ｅ４」が決定される。
【００６３】
それ故、図１３に示すように、刺繍枠５にセットされた布地Ｗに、決定された縫い順に基づいて、最初に刺繍領域Ｅ３、続けて刺繍領域Ｅ１、刺繍領域Ｅ２、刺繍領域Ｅ４の順に順次刺繍模様が刺繍縫製される。このように決定された縫い順に基づいて、最初に、包絡エリアＨＥの中心位置ＨＣに近い刺繍領域Ｅ３に刺繍処理が実行された場合、その刺繍により若干ではあるが縫い縮みが発生する。
【００６４】
しかし、その縫い縮みは刺繍領域Ｅ３に最初に刺繍した刺繍模様の外側に放射状に分散するようになる。そこで、次以降に刺繍する刺繍領域Ｅ１，Ｅ２，Ｅ４は、最初の刺繍領域Ｅ３に対して放射方向の外側に位置しているため、２番目以降に刺繍する何れの刺繍領域Ｅ１ａ，Ｅ２ａ，Ｅ４ａの位置ズレも極僅かになる。
【００６５】
それ故、これら複数の刺繍領域Ｅ１ａ，Ｅ２ａ，Ｅ４ａに刺繍処理した後に、図１３に示すように、その後にインクジェットプリンタ３により、これら複数の刺繍領域Ｅ３，Ｅ１ａ，Ｅ２ａ，Ｅ４ａに印刷データにより印刷する場合、刺繍領域Ｅ１における最初の刺繍模様ＳＨ１とその印刷領域Ｅ３とに位置ズレするようなことがなく、しかも２番目以降の刺繍領域Ｅ１ａ，Ｅ２ａ，Ｅ４ａに刺繍された刺繍模様ＳＨ１，ＳＨ２，ＳＨ４とその印刷領域Ｅ１，Ｅ２，Ｅ４との位置ズレを格段に抑制することができる。
【００６６】
また、４つの刺繍領域Ｅ１〜Ｅ４の縫い順決定に際して、４つの刺繍領域Ｅ１〜Ｅ４の中心位置ｃ１〜ｃ４を夫々演算し、４つの刺繍領域Ｅ１〜Ｅ４の中心位置ｃ１〜ｃ４と包絡エリアＨＥの中心位置ＨＣとに基づいて縫い順を決定するので、包絡エリアＨＥの中心位置ＨＣに近い順に決定する縫い順を、その中心位置ｃ１〜ｃ４により精度良く且つ正確に求めることができ、後から刺繍する刺繍領域Ｅ１ａ，Ｅ２ａ，Ｅ４ａの位置ズレを最小限に抑制することができる。
【００６７】
また、包絡エリアＨＥの演算処理に際して、４つの刺繍領域Ｅ１〜Ｅ４を矩形の形状で包絡する包絡エリアＨＥを演算するので、包絡エリアＨＥ演算の簡単化を図ることができ、複合データ処理の迅速化が図れる。
【００６８】
更に、縫い順決定に際して、少なくとも部分的に重複する複数の刺繍領域Ｅ１，Ｅ２については、刺繍データの配列順から定まる予め設定された縫い順となるように縫い順を決定するので、これら重複する複数の刺繍領域Ｅ１，Ｅ２に刺繍される刺繍模様の上下関係について、予め設定された縫い順を維持することができ、複数の刺繍模様による風合いを何ら損なうことなく表現することができる。
【００６９】
ところで、ディスプレイ１４に表示されたメインメニュー（図示略）のうちの「複合データ処理」を選択して、例えば、図１５に示すように、「複合データ処理メニュー」が表示されるので、作業者がブロックカーソルＫにより、選択項目「２」、つまり少なくとも部分的に重複する刺繍領域と印刷領域については、「刺繍処理と印刷処理を連続的に実行する」を選択すると、図１４に示す第２複合データ処理制御が開始される。
【００７０】
この制御が開始されると、ＣＤ−ＲＯＭやハードディスクに格納された複数の刺繍データのうちから予め選択された刺繍データが読み込まれてＲＡＭ２３の刺繍データメモリに格納される（Ｓ31）。次に、その刺繍データに基づいて、サテン縫目やタタミ縫目等の縫目形式や糸色で指定される刺繍領域、つまり刺繍模様に含まれる複数の刺繍領域の外形輪郭を求める為に、刺繍データの解析処理が実行される（Ｓ32）。
【００７１】
この解析処理については、図５−１，図５−２に基づいて前述したのと同様である為、その説明を省略する。次に、解析処理により求められた複数の刺繍領域に基づいて、刺繍領域毎に、刺繍領域にベタ状に印刷する為の印刷データを作成する印刷データ作成処理が実行される（Ｓ33）。この場合、各刺繍領域に対応して作成される印刷データの印刷色は、その刺繍領域に刺繍される刺繍データに含まれる刺繍の糸色を示す糸色コードと同じ色情報を有するものである。
【００７２】
次に、Ｓ33で作成された刺繍領域毎の印刷データについて、刺繍データにより刺繍される刺繍領域の配列順序と同様の配列となるように並び替えて配置される（Ｓ34）。次に、刺繍処理と印刷処理を連続して行う場合に、刺繍処理と印刷処理の何れの処理を先に実行するのかを設定する「処理順序設定画面」（図１６参照）がディスプレイ１４に表示されるので、作業者により優先的に処理する処理順序が設定される（Ｓ35）。
【００７３】
次に、Ｓ35で設定された刺繍処理と印刷処理の優先順序に基づいて、刺繍処理と印刷処理の処理順序を設定する処理順序設定処理が実行され（Ｓ36）、この制御を終了して、メインルーチンにリターンする。即ち、Ｓ36の処理順序設定処理においては、刺繍処理を優先的に行う処理順序の場合には、第１番目に刺繍される刺繍領域の刺繍データ、その刺繍領域に印刷される印刷データ、第２番目に刺繍される刺繍領域の刺繍データ、その刺繍領域に印刷される印刷データ・・・・の順に処理順序が設定される。
【００７４】
しかし、「処理順序設定画面」により、印刷処理を優先的に行う処理順序の場合には、Ｓ36の処理順序設定処理において、刺繍処理と印刷処理とが逆に設定され、印刷処理の後に刺繍処理が実行されるようになる。ここで、図１４に示す第２複合データ処理制御の特にＳ32等から刺繍領域画定手段が構成され、第２複合データ処理制御の特にＳ34〜Ｓ36等から処理順序設定手段が構成されている。
【００７５】
次に、前述したように、刺繍データに基づいて刺繍模様に含まれる複数の刺繍領域に刺繍処理し且つ印刷処理するに際して、刺繍処理と印刷処理を連続的に実行する第２複合データ処理制御の作用及び効果について説明する。
【００７６】
先ず、図１５に示す「複合データ処理メニュー」から、作業者がブロックカーソルＫにより選択項目「２」を選択すると、図７に示すように、予め選択された「円模様」の刺繍データがＲＡＭ２３の刺繍データメモリに格納される。この「円模様」は、図１７に示すように、４つの第１円模様ＳＨ１〜第４円模様ＳＨ４を直線状に配置したものである。
【００７７】
そこで、刺繍データを解析した解析結果に基づいて、Ｓ32にてこれら４つの第１円模様ＳＨ１〜第４円模様ＳＨ４の刺繍領域Ｅ１〜Ｅ４が求められ、Ｓ33にて各刺繍領域Ｅ１〜Ｅ４と同じ大きさ及び形状の印刷領域Ｆ１〜Ｆ４にベタ状に印刷する印刷データが求められ、Ｓ34にて刺繍される刺繍領域の配列順序と同様の配列となるように、印刷領域Ｆ１の印刷データ、印刷領域Ｆ２の印刷データ、印刷領域Ｆ３の印刷データ、印刷領域Ｆ４の印刷データの順に並び替えて配置される。但し、各刺繍領域Ｅ１〜Ｅ４の印刷データには、刺繍する糸色と同じ色の色情報が格納されている。
【００７８】
次に、図１６に示すように、刺繍処理と印刷処理の処理順序設定画面がディスプレイ１４に表示されるので、作業者は、ブロックカーソルＫを用いて、「１」の処理順序（刺繍処理→印刷処理）を設定した場合、ＲＡＭ２３に有する処理順序テーブルには、図１８に示すように、処理順序「１」に刺繍領域Ｅ１、処理順序「２」に印刷領域Ｆ１、処理順序「３」に刺繍領域Ｅ２、処理順序「４」に印刷領域Ｆ２、処理順序「５」に刺繍領域Ｅ３、処理順序「６」に印刷領域Ｆ３、処理順序「７」に刺繍領域Ｅ４、処理順序「８」に印刷領域Ｆ４が夫々設定される。
【００７９】
このように、処理順序が設定されたので、処理順序テーブルに基づいて、刺繍枠５にセットされた布地Ｗに対して、先ず、刺繍ミシン２により刺繍領域Ｅ１に第１円模様ＳＨ１が刺繍された後に、インクジェットプリンタ３により印刷領域Ｆ１にベタ状に印刷され、次に刺繍領域Ｅ２に第２円模様ＳＨ２が刺繍された後に印刷領域Ｆ２にベタ状に印刷され、次に刺繍領域Ｅ３に第３円模様ＳＨ３が刺繍された後に印刷領域Ｆ３にベタ状に印刷され、更に刺繍領域Ｅ４に第４円模様ＳＨ４が刺繍された後に印刷領域Ｆ４にベタ状に印刷される。
【００８０】
この場合、重複する刺繍領域Ｅ１〜Ｅ４と印刷領域Ｆ１〜Ｆ４について、決定された処理順序に基づいて、刺繍処理と印刷処理とがセットにして連続して実行される為、刺繍模様ＳＨ１〜ＳＨ４を刺繍処理する毎に縫い縮みが発生するが、刺繍処理と印刷処理とがその都度セットで実行されることにより、それ以前の刺繍処理により発生する縫い縮みによる位置ズレの影響をほぼ回避することができ、重複領域に対する刺繍領域と印刷領域の位置ズレを解消することができる。
【００８１】
即ち、最初に、刺繍領域Ｅ１に刺繍模様ＳＨ１を縫製することにより、布地Ｗに縫い縮みが生じ、刺繍領域Ｅ１の外周部分の布地Ｗが刺繍領域Ｅ１側に移動することになる。しかし、この縫い縮みは印刷領域Ｅ１の大きさに比べて極僅かである。ところで、刺繍領域Ｅ２、Ｅ３、Ｅ４に順々に刺繍縫製を実行する場合には、刺繍するのに応じて、最初に刺繍した刺繍領域Ｅ１の位置ズレが、他の刺繍領域Ｅ２、Ｅ３、Ｅ４の位置ズレに比べて最大になる。
【００８２】
しかし、前述したように、刺繍領域Ｅへの刺繍処理と印刷領域Ｆへの印刷処理とをセットにして交互に実行するため、刺繍領域Ｅ１に対する印刷領域Ｆ１に若干の位置ズレが生じるだけであって、その他の刺繍領域Ｅ２〜Ｅ４と印刷領域Ｆ２〜Ｆ４とは、位置ズレした位置に刺繍処理と印刷処理とがその都度実行されるため、それ以前の刺繍処理により発生する縫い縮みによる刺繍領域Ｅ２〜Ｅ４と印刷領域Ｆ２〜Ｆ４の位置ズレを解消することができる。
【００８３】
次に、前記実施例の変更形態について説明する。
【００８４】
１〕図１４に示す第２複合データ処理制御を部分的に変更し、予め作成された刺繍データと印刷データとに基づいて、刺繍領域と印刷領域とが少なくとも部分的に重複する場合に限って、刺繍処理と印刷処理とを連続的に実行するようにしてもよい。即ち、図２０に示すように、この制御が開始されると、先ず予め選択された刺繍模様の刺繍データが読み込まれ（Ｓ31）、更に予め作成された印刷データが読み込まれる（Ｓ31Ａ）。
【００８５】
次に、前述したように刺繍データの解析処理が実行され（Ｓ32）、刺繍処理する刺繍模様に含まれる複数の刺繍領域と、印刷処理される印刷領域とが少なくとも部分的に重複するか否かが検出され（Ｓ37）、重複する場合には（Ｓ38：Yes ）、前述したように、ディスプレイ１４に表示された刺繍処理と印刷処理の順序設定画面を介して刺繍処理と印刷処理の順序が設定される（Ｓ35）。
【００８６】
次に、Ｓ38で検出された重複する刺繍領域と印刷領域に基づいて、重複する刺繍領域と印刷領域とに関して、Ｓ35で設定された優先順序で、刺繍処理と印刷処理の処理順序が設定される（Ｓ36A)。ここで、図２０に示す複合データ処理制御の特にＳ37等により重複検出手段が構成されている。この場合には、相互に重複する刺繍領域と印刷領域に限って刺繍処理と印刷処理とをセットにして処理することができ、これら重複領域に対応する刺繍模様と印刷図柄の位置ズレを極力解消することができる。
【００８７】
２〕図４及び図１４に示す複合データ処理制御のＳ11，Ｓ31において、夫々読み込まれる刺繍データは、イメージスキャナ１３により読み込んだカラー画像の画像データから作成したものでもよい。
【００８８】
３〕前述した実施例においては、複数の刺繍領域Ｅ１〜Ｅ４からなる単一の刺繍模様ＳＭについて説明したが、これに限らず、複数の刺繍模様を組み合わせた刺繍模様に本案を適用するようにしてもよい。
【００８９】
４〕複合データ処理装置１は刺繍ミシン２とは別体に設けたが、刺繍ミシン２の制御ユニット４２が複合データ処理装置１を兼ね備えるように構成するようにしてもよい。この場合、パーソナルコンピュータからなる複合データ処理装置１を別途準備しなくてもよく、刺繍ミシン２を有効活用することができる。
【００９０】
５〕刺繍データと印刷データとを複合的に処理する複合データ処理装置１に代えて、刺繍データを処理する刺繍データ処理装置と、印刷データを処理する印刷データ処理装置とを別個に設け、これら刺繍データ処理装置と印刷データ処理装置とを刺繍ミシン２に並列的に接続するようにしてもよい。
【００９１】
６〕本発明は以上説明した実施例に限定されるものではなく、当業者でれば、本発明の趣旨を逸脱しない範囲で、前記実施例に種々の変更を付加して実施することができ、本発明はそれらの変更形態をも包含するものである。
【図面の簡単な説明】
【００９２】
【図１】本発明の実施例に係る複合データ処理装置とインクジェットプリンタを有する刺繍ミシンと枠駆動装置の接続図である。
【図２】複合データ処理装置の制御系のブロック図である。
【図３】刺繍ミシンとインクジェットプリンタと枠駆動装置の制御系ブロック図である。
【図４】第１複合データ処理制御のフローチャートである。
【図５−１】折り返し縫目を含む場合の輪郭点の検出原理を説明する説明図である。
【図５−２】折り返し縫目を含まない場合の図６−１相当図である。
【図６】複合データ処理メニューの表示例を示す図である。
【図７】刺繍データのデータ構成を説明する図表である。
【図８】４つの第１〜第４円模様を有する刺繍データを説明する説明図である。
【図９】中心位置テーブルの設定内容を説明する図表である。
【図１０】中心間距離テーブルの設定内容を説明する図表である。
【図１１】重複刺繍領域テーブルの設定内容を説明する図表である。
【図１２】縫い順テーブルの設定内容を説明する図表である。
【図１３】布地に刺繍処理と印刷処理とが施された布地の平面図である。
【図１４】第２複合データ処理制御のフローチャートである。
【図１５】複合データ処理メニューの表示例を示す図である。
【図１６】刺繍処理と印刷処理の順序設定画面の表示例を示す図である。
【図１７】４つの第１〜第４円模様を有する刺繍データを説明する説明図である。
【図１８】処理順序テーブルの設定内容を説明する図表である。
【図１９】布地に刺繍処理と印刷処理とが施された布地の平面図である。
【図２０】変更形態に係る図１４相当図である。
【符号の説明】
【００９３】
１      複合データ処理装置
２      刺繍ミシン
３      インクジェットプリンタ
１０    制御装置
２２    ＲＯＭ
Ｗ      布地
【図１】
2006198309.tif 000003
【図２】
2006198309.tif 000004
【図３】
2006198309.tif 000005
【図４】
2006198309.tif 000006
【図５−１】
2006198309.tif 000007
【図５−２】
2006198309.tif 000008
【図６】
2006198309.tif 000009
【図７】
2006198309.tif 000010
【図８】
2006198309.tif 000011
【図９】
2006198309.tif 000012
【図１０】
2006198309.tif 000013
【図１１】
2006198309.tif 000014
【図１２】
2006198309.tif 000015
【図１３】
2006198309.tif 000016
【図１４】
2006198309.tif 000017
【図１５】
2006198309.tif 000018
【図１６】
2006198309.tif 000019
【図１７】
2006198309.tif 000020
【図１８】
2006198309.tif 000021
【図１９】
2006198309.tif 000022
【図２０】
2006198309.tif 000023